(57)【特許請求の範囲】
【請求項１】
シャッタ地板に形成される露光用開口を開閉する羽根部材と、
前記羽根部材が前記露光用開口を開放する状態と前記羽根部材が前記露光用開口を閉鎖する状態となるように、前記羽根部材を作動させる作動部材と、
前記羽根部材が前記露光用開口を開放する状態となるように、前記作動部材を付勢する第１の付勢部材と、
前記作動部材を駆動する駆動部材と、
前記羽根部材が前記露光用開口を閉鎖する状態となるように、前記駆動部材を付勢する第２の付勢部材と、
前記羽根部材が前記露光用開口を閉鎖する状態となるように、前記第１の付勢部材の付勢力に抗して、前記作動部材を係止する係止部材と、
前記第２の付勢部材をチャージするチャージ部材とを有し、
前記チャージ部材には、前記係止部材に当接する当接部が形成され、
前記当接部が前記係止部材に当接することで、前記作動部材の係止を解除することを特徴とするシャッタ装置。
【請求項２】
前記チャージ部材は、前記駆動部材に当接することで前記第２の付勢部材がチャージされた状態を維持するものであって、
前記当接部が前記係止部材に当接することで、前記作動部材の係止を解除した後にも、前記チャージ部材が前記駆動部材に当接することを特徴とする請求項１に記載のシャッタ装置。
【請求項３】
前記羽根部材が前記露光用開口を開放する際に前記作動部材が回転する力は、前記羽根部材が前記露光用開口を閉鎖する際に前記駆動部材が回転する力よりも弱く設定されることを特徴とする請求項１または２に記載のシャッタ装置。
【請求項４】
受光した光を電荷として蓄積する撮像素子を有する撮像装置において、
露光開始を前記撮像素子の電荷蓄積開始によって行い、露光終了を請求項１ないし３のいずれか１項に記載のシャッタ装置によって行うことを特徴とする撮像装置。
【発明の詳細な説明】
【技術分野】
【０００１】
本発明は、カメラ用シャッタ装置、および、この種のシャッタ装置を具備するデジタルカメラ等の撮像装置に関するものである。
【背景技術】
【０００２】
従来、第１遮光手段の構成要素である先幕および第２遮光手段の構成要素である後幕それぞれに対応した電磁石に通電して、シャッタチャージの状態を保持する。そして、順次、電磁石への通電を解除することで、露光を可能にするダイレクト保持タイプのシャッタが知られている。
【０００３】
一方、二重遮光方式と呼ばれるフォーカルプレーンシャッタも知られている。その従来例の一つが特許文献１に記載されている。特許文献１によれば、先羽根用駆動部材は通常のシャッタと同様に先羽根群に連結されているが、後羽根群は後羽根用駆動部材に連結されておらず、後羽根用作動部材に連結されている。そして、二重遮光状態をチャージレバーのみによって維持させている。即ち、この従来例においては、チャージレバーが後羽根用駆動部材のチャージ動作を開始する直前に、該チャージレバーの一部が後羽根用作動部材の作動軌跡内に進入する。そして、後羽根用作動部材が後羽根用駆動部材と一緒に作動するのを抑止している。その抑止は、撮影に際して、チャージレバーが初期位置へ復帰する時に解かれ、後羽根用作動部材が後羽根群を伴って、露光作動開始位置へ作動し得るようにしている。
【０００４】
また、他の従来例の一つが特許文献２に記載されている。特許文献２では、後羽根群が後羽根用駆動部材に連結されておらず、後羽根用作動部材に連結されている点では、特許文献１の構成と同じである。しかし、二重遮光状態をブレーキ部材とチャージレバーの二つを組み合わせて作り出している。即ち、後幕走行完了時にブレーキ部材が後羽根作動部材を係止する。そして、チャージレバーで後羽根用駆動部材をチャージする途中で、該チャージレバーが後羽根用作動部材の作動軌跡内に進入した状態でブレーキ部材の係止を解除する。チャージレバーが初期位置に復帰されると二重遮光状態が解除される。この従来例では、後幕走行完了時に、ブレーキ部材が後羽根作動部材を係止するため、後羽根群のバウンド防止効果も果たしている。
【０００５】
また、先羽根がシャッタ開口を開いた状態で後羽根を保持することで、ＬＣＤ等のモニターで被写体を観察できる（以下、ライブビューと記載する）ように構成された従来例（特許文献３，４）が知られている。
【０００６】
さらに、一眼レフタイプのデジタルカメラには、フォーカルプレーンシャッタ（以下、メカシャッタとも記載する）と電子シャッタを併用して撮像動作を行うものがある（特許文献５）。この種のカメラでは、後幕をメカシャッタで構成し、後幕の走行に先行して、撮像素子の画素の電荷蓄積開始走査を行う電子シャッタとにより撮影を行うものである。撮像素子の電荷蓄積開始走査は、後幕のメカシャッタの走行特性に合わせた走査パターンとなっている。
【先行技術文献】
【特許文献】
【０００７】
【特許文献１】特開平１１−９５２８２号公報
【特許文献２】特開２００１−２１９４４号公報
【特許文献３】特開２００１−２１５５５５号公報
【特許文献４】特開２００１−２３２２０号公報
【特許文献５】特開平１１−４１５２３号公報（段落番号００４４〜００５０、図１〜図３等）
【発明の概要】
【発明が解決しようとする課題】
【０００８】
特許文献３，４に開示されたカメラに、特許文献１のようなシャッタを用いると、ライブビュー中は後幕保持用の電磁石に通電し続けなければならず、電力を無駄に消費してしまう。
【０００９】
特許文献５に開示されたカメラはメカシャッタの先幕が不要であり、後幕のみで機能を果たすことができる。しかし、後幕のみのメカシャッタでは、シャッタチャージ中にシャッタ開口を開いてしまうので、電荷読出し中に撮像素子が露光されてしまい、スミア（太陽などの強い光源を撮影したときに、縦方向に光の筋が発生してしまう現象）等の不具合が生じてしまう。その不具合を回避するためには、特許文献１や特許文献２に記載された二重遮光方式のシャッタの後幕部分のみを用いることが考えられる。
【００１０】
しかし、特許文献１のカメラでは、チャージ時において、チャージレバーが後羽根用駆動部材を作動させる寸前に、チャージレバー自身によって後羽根用作動部材の作動を抑止するように構成されている。そのため、カメラのレリーズ時の初期段階で、チャージレバーがチャージ解除位置（初期位置）へ復帰動作するときには、その復帰動作の最終段階において後羽根用作動部材の抑止を解除する。よって、後羽根群を露光作動開始位置へ作動させるタイミングが極めて遅くなってしまうという問題点がある。
【００１１】
また、特許文献２のカメラでは、特許文献１の問題点は有しないものの、チャージレバーによって後羽根用作動部材の作動を抑止している点は同じであり、後羽根群を露光開始位置へ作動させるタイミングを、チャージレバー復帰動作の初期段階に設定できていない。
【００１２】
（発明の目的）
本発明の目的は、新たな部材を追加することなく、係止部材による作動部材の係止を解除することができるシャッタ装置及び撮像装置を提供しようとするものである。  
【課題を解決するための手段】
【００１３】
上記目的を達成するために、本発明のシャッタ装置は、シャッタ地板に形成される露光用開口を開閉する羽根部材と、前記羽根部材が前記露光用開口を開放する状態と前記羽根部材が前記露光用開口を閉鎖する状態となるように、前記羽根部材を作動させる作動部材と、前記羽根部材が前記露光用開口を開放する状態となるように、前記作動部材を付勢する第１の付勢部材と、前記作動部材を駆動する駆動部材と、前記羽根部材が前記露光用開口を閉鎖する状態となるように、前記駆動部材を付勢する第２の付勢部材と、前記羽根部材が前記露光用開口を閉鎖する状態となるように、前記第１の付勢部材の付勢力に抗して、前記作動部材を係止する係止部材と、前記第２の付勢部材をチャージするチャージ部材とを有し、前記チャージ部材には、前記係止部材に当接する当接部が形成され、前記当接部が前記係止部材に当接することで、前記作動部材の係止を解除することを特徴とする。
【発明の効果】
【００１４】
本発明によれば、新たな部材を追加することなく、係止部材による作動部材の係止を解除することができるシャッタ装置または撮像装置を提供できるものである。
【図面の簡単な説明】
【００１５】
【図１】本発明の一実施例に係るカメラの回路構成を示すブロック図である。
【図２】図１のカメラに具備されるシャッタ装置のチャージ完了状態を示す平面図である。
【図３】図１のカメラに具備されるシャッタ装置の緊定レバー解除の瞬間を示す平面図である。
【図４】図１のカメラに具備されるシャッタ装置の緊定レバー解除状態を示す平面図である。
【図５】図１のカメラに具備されるシャッタ装置の走行前待機状態を示す平面図である。
【図６】図１のカメラに具備されるシャッタ装置の走行完了状態を示す平面図である。
【発明を実施するための形態】
【００１６】
本発明を実施するための最良の形態は、以下の実施例に示す通りである。
【実施例】
【００１７】
図１は本発明の一実施例に係るカメラの回路構成を示すブロック図である。カメラ１００には、焦点距離可変機構および焦点合わせ機構（図示せず）を有する交換レンズ３００が着脱自在に取り付けられる。
【００１８】
交換レンズ３００は、光学レンズ３１０、絞り３１２、光学レンズ３１０の動作を制御するレンズ制御回路３３０、測距動作のために焦点合わせ機構の制御をする測距制御回路３４２および絞りの制御をする絞り制御回路３４０を備えている。この交換レンズ３００のレンズマウント３０６とカメラ１００のカメラマウント１０６は、互いに結合可能な形状、例えばフランジ形状をしている。レンズマウント３０６がカメラマウント１０６に結合することにより、カメラ１００に交換レンズ３００が装着される。またこの際、交換レンズ３００のレンズ信号接点３２２がカメラ１００のカメラ信号接点１２２と接触し、交換レンズ３００がカメラ１００と電気的に接続される。交換レンズ３００の各制御回路はＩ／Ｆ３２０およびレンズ信号接点３２２を介して、カメラ１００と相互に通信を行うことが出来る。また、交換レンズ３００のカメラ１００に対する着脱はカメラ１００側のレンズ着脱検知回路１２４により検知され、この検知信号はシステム制御回路５０に入力される。
【００１９】
次に、カメラ１００側について説明する。クイックリターンミラー１３０は回転可能に配設されたミラーであり、ミラーダウン状態で、光学レンズ３００を通過した光（以下、入射光と記載する）を図１中上方へ反射する。ミラーアップ状態（図示せず）では、入射光はクイックリターンミラー１３０に反射されることなく、図中右方へと導かれる。すなわち、クイックリターンミラー１３０は入射光の経路を切り換える働きをする。クイックリターンミラー１３０の代わりに、固定式のハーフミラーを用いて入射光を、図１において、上方と右方に導いても良い。入射光はクイックリターンミラー１３０がダウン状態のときはペンタプリズム１３２を介して被写体像を確認するための光学ファインダ１０４へと導かれる。また、クイックリターンミラー１３０がアップ状態の時は、入射光はシャッタ制御回路４０によって制御されるシャッタ１２を介して撮像素子１４へと導かれる。
【００２０】
撮像素子１４は、その撮像面に結像された光学像を電気信号に変換して出力する。撮像素子１４から出力された電気信号は、Ａ／Ｄ変換器１６によりデジタル画像信号（以下、画像データと記載する）に変換された後に、画像処理回路２０およびメモリ制御回路２２に入力される。画像処理回路２０は、Ａ／Ｄ変換器１６からの画像データ、または、メモリ制御回路２２からの画像データに対して所定の画像処理、例えば、画素補間処理、色変換処理を施す。
【００２１】
メモリ制御回路２２は、Ａ／Ｄ変換器１６、Ｄ／Ａ変換器２６、メモリ３０、圧縮伸張回路３２などを制御する。タイミング発生回路１８は、タイミング信号を発生し、このタイミング信号が撮像素子１４、Ａ／Ｄ変換器１６、Ｄ／Ａ変換器２６に供給され、これらはこのタイミング信号に基づいて動作する。また、メモリ制御回路２２は、Ａ／Ｄ変換器１６から直接入力された画像データをメモリ３０や画像表示メモリ２４に書き込む処理を行うとともに、メモリ３０または画像表示メモリ２４から画像データを読み出す処理を行う。
【００２２】
画像表示メモリ２４には、液晶表示パネルからなる画像表示部２８に表示するための画像データが書き込まれる。画像表示メモリ２４から画像データを読み出し、Ｄ／Ａ変換器２６を介して画像表示部２８に転送することによって、撮影した画像が画像表示部２８に表示される。画像表示部２８の表示は、システム制御回路５０からの指示により任意にオン、オフすることが可能である。
【００２３】
メモリ３０は撮像した画像データを格納するためのものであり、所定枚数の画像データを格納可能な十分な記憶容量を有し、また、システム制御回路５０の作業領域としても使用される。圧縮伸長回路３２はメモリ３０から画像データを取り込んで、圧縮または伸長処理を施し、圧縮または伸長後の画像データをメモリ３０に書き込む。メモリ３０に書き込まれた画像データ（圧縮後の画像データ）は、各Ｉ／Ｆ（インターフェース）９０，９４およびコネクタ９２，９６を介して、カメラ１００に接続される記録媒体２００，２１０に書き込まれる。
【００２４】
記録媒体２００，２１０は、カメラ１００側のコネクタ９２，９６に接続可能なコネクタ２０６，２１６と、カメラ１００とのＩ／Ｆ２０４，２１４と、画像データを保持する半導体メモリや磁気ディスクなどから構成される記録部２０２，２１２とを有する。カメラ１００への記録媒体２００，２１０の装着の有無は不図示の記録媒体検知手段により検知され、この検知信号はシステム制御回路５０に入力される。
【００２５】
本実施例では、二つの記録媒体２００，２１０を装着可能に構成しているが、これに限定されることはなく、一つまたは三つ以上の記録媒体を装着可能に構成しても良い。
【００２６】
システム制御回路５０は、メモリ５２に格納されているプログラム、定数および変数データなどに従い、カメラ１００全体を制御する。システム制御回路５０による制御の一つには、ＴＴＬ（スルーザレンズ）のＡＦ（オートフォーカス）処理、ＡＥ（自動露出）処理、ＥＦ（フラッシュプリ発光）処理の各処理に用いられる制御信号を生成するものがある。この制御により生成された各制御信号は、シャッタ制御回路４０、測距装置４２、測光装置４６、フラッシュ４８に供給される。
【００２７】
測距装置４２はシステム制御回路５０からの制御信号に基づき被写体像を合焦させるための信号を発生する。そして、この信号が、システム制御回路５０、Ｉ／Ｆ１２０、各信号接点１２２，３２２、Ｉ／Ｆ３２０を介して測距制御回路３４２に送られる。これにより、測距制御回路３４２が合焦状態になるように光学レンズ３１０の不図示の焦点合わせ機構を駆動する。測光装置４６は、入射光の強さを測定する。システム制御回路５０は測光装置４６により求められた測光値を基に、露光時間と絞り値を決定し、各制御信号をシャッタ制御回路４０と絞り制御回路３４０に送信する。システム制御回路５０からの制御信号に基づき、シャッタ制御回路４０がシャッタ１２による露光時間を調整し、絞り制御回路３４０が絞り３１２を制御することにより、露光量が制御される。フラッシュ４８は、ＡＦ補助光の投光機能、フラッシュ調光機能を有し、システム制御回路５０からの制御信号に基づき対応する光量のフラッシュ光を発光する。
【００２８】
システム制御回路５０は、設定された撮影モードなどに関する情報を表示部５４に表示するための制御を行う。表示部５４は、文字、画像、音声などを用いて動作状態やメッセージなどを通知可能なように、液晶表示装置（ＬＣＤ）、発音素子、発光ダイオード（ＬＥＤ）などで構成されている。また、表示部５４の一部は光学ファインダ１０４内に組み込まれている。表示部５４のＬＣＤに表示される内容としては、単写／連写撮影表示、セルフタイマー表示、圧縮率表示、記録画素数表示、記録枚数表示、残撮影可能枚数表示、シャッタスピード表示、絞り値表示がある。さらには、露出補正表示、ＷＢモード表示、ＩＳＯ感度表示、フラッシュ表示、電池残量表示、エラー表示、複数桁の数字による情報表示、各記録媒体２００，２１０の着脱状態表示、通信Ｉ／Ｆ動作表示、日付・時刻表示などもある。
【００２９】
システム制御回路５０は、通信手段１１０を介して外部装置との間で画像データを送受するための制御も行う。通信手段１１０は、ＲＳ２３２Ｃ，ＵＳＢ，ＩＥＥＥ１３９４，ＳＣＳＩ，ＬＡＮ、モデム、無線通信などによる通信機能を有し、外部装置を接続するためのコネクタ（またはアンテナ）１１２が接続されている。
【００３０】
システム制御回路５０に対する動作指示の入力部材には、モードダイアル６０、シャッタ部材６２、操作部材７０、不図示の電源スイッチなどがある。モードダイアル６０は、カメラ１００の各撮影モードの切り換え、設定を行うためのスイッチである。各撮影モードとしては、プログラムＡＥ、シャッタ優先ＡＥ、絞り優先ＡＥ、マニュアル露出、全自動、スポーツ、夜景、風景等の撮影モードがある。
【００３１】
シャッタ部材６２はスイッチ６２ａとスイッチ６２ｂとからなる多段スイッチである。シャッタ部材６２を所定量押し下げるとスイッチ６２ａがオンし、さらにスイッチ６２を押し下げるとスイッチ６２ｂがオンする。スイッチ６２ａのオンにより、ＡＦ処理、ＡＥ処理、ＥＦ処理などの開始を指示する信号ＳＷ１が発生する。また、スイッチ６２ｂのオンにより、撮像素子１４から読み出した信号を画像データとして記録媒体２００，２１０に書き込むまでの一連の撮影動作の開始を指示する信号ＳＷ２が発生する。
【００３２】
撮影動作時には、クイックリターンミラー１３０がアップし、シャッタ１２が駆動する。そして、撮像素子１４にて光電変換された信号がＡ／Ｄ変換器１６、メモリ制御回路２２を介して、メモリ３０に書き込まれる露光処理が実行される。さらに、画像処理回路２０やメモリ制御回路２２での演算を用いた現像処理が実行される。さらに、メモリ３０から画像データが読み出されて圧縮・伸長回路３２にて圧縮され、圧縮後の画像データが記録媒体２００，２１０に書き込まれる記録処理などが実行される。
【００３３】
操作部７０は、各種ボタンやダイアルなどから構成されている。具体的には、メニューボタン、セットボタン、再生ボタン、消去ボタン、ジャンプボタン、露出補正ボタン、単写／連写モード切換ボタンを具備する。さらには、測光モード切換ボタン、ＡＦモード切換ボタン、ＷＢモード切換ボタン、ＩＳＯ感度設定ボタン、メイン電子ダイアル、サブ電子ダイアル、標準設定状態設定ボタンなどを具備する。ここで、例えばメニューボタンが押下されると、表示部５４には設定画面が表示され、この設定画面上で上記ボタン等を用いて設定する項目を選択可能である。
【００３４】
モードダイアル６０、操作部７０などで設定された変数、モードなどは、ＥＥＰＲＯＭなどからなる不揮発性メモリ５６に格納される。
【００３５】
操作部７０に含まれる標準設定状態設定ボタンを操作することで、使用者が所望の設定状態（撮影モード、露出補正値、単写／連写モード、測光モード、ＡＦモード、ＷＢモード、ＩＳＯ感度等の設定状態）を標準設定状態として設定することができる。このカメラの標準設定状態データは、不揮発性メモリ５６に格納される。
【００３６】
システム制御回路５０には、電源制御装置８０から電力が供給される。電源制御装置８０はシステム制御回路５０からの指示に基づき、電源８６からの電力を各部へ供給する。電源制御装置８０と電源８６とは、接点８２，８４を介して接続されている。電源８６としては、アルカリ電池などの一次電池、リチウムイオン電池、ニッケル水素電池等の二次電池、または、ＡＣアダプタなどを使用することが出来る。
【００３７】
次に、メカ式のシャッタ１２の動作について、図２〜図６を参照しながら説明する。これらの図面は、いずれもカメラに組み込まれた状態において、被写体側から見た略左半分のみを示した平面図である。
【００３８】
まず、図２を用いてシャッタ１２の構成について説明する。図２は、シャッタ１２がチャージ完了状態、すなわち、カメラが停止している状態を示している。
【００３９】
シャッタ地板５０１には、その略中央部に長方形を横長にした露光用開口部５０１ａが形成されているが、図２ではその露光用開口部５０１ａの左側の一部のみを示している。シャッタ地板５０１の表面には、後述する緊定レバー５０４の可動域を規定するために緊定レバーストッパー５０１ｂ，５０１ｃおよび軸５０１ｄ，５０１ｅ，５０１ｆが立設されている。また、後述する羽根駆動ピン５０３ｂが通過するための長孔５０１ｇが形成されている。この長孔５０１ｇの端部には、羽根駆動ピン５０３ｂのストッパーとしての緩衝ゴム５１５が取り付けられている。
【００４０】
後羽根用駆動部材５０２にはアマチャー５１３がアマチャー軸５１４を介して取り付けられている。アマチャー５１３は、図２の状態では図示しない電磁石に接触した状態となっている。後羽根用駆動部材５０２には図示しないトーションバネがかけられており、軸５０１ｆを中心に反時計回りに回転する力が加わっている。また、後羽根用駆動部材５０２の背面にはコロ５０６が回転可能に取り付けられており、後述するチャージレバー５０５がこのコロ５０６を介して後羽根用駆動部材５０２のチャージを行う。
【００４１】
後羽根用作動部材５０３は軸５０１ｆを中心として回転運動を行う、後羽根用駆動部材５０２と同軸に回転する部材である。後羽根用駆動部材５０２が回転する際、駆動面５０２ａが被駆動面５０３ａに接した状態（後述の図４の状態）で回転することで、後羽根用駆動部材５０２から後羽根用作動部材５０３に回転力が伝達される。後羽根用作動部材５０３の背面には羽根駆動ピン５０３ｂが立設されており、この羽根駆動ピン５０３ｂを介して、シャッタ地板５０１の背面側にあるメイン羽根アーム５０７に回転力が伝えられる。メイン羽根アーム５０７、サブ羽根アーム５０８、１番羽根５０９、２番羽根５１０、３番羽根５１１、４番羽根５１２で周知の並行リンクである後羽根群を構成している。つまり、後羽根用作動部材５０３が回転することで、後羽根群が走行するのである。また、後羽根用作動部材５０３には図示しないトーションバネがかけられており、軸５０１ｆを中心に時計回りに回転する力が加わっている。後羽根用作動部材５０３にかけられたトーションバネによる時計回りに回転する力は、後羽根用駆動部材５０２にかけられたトーションバネによる反時計回りに回転する力よりも弱く設定されている。したがって、後羽根群が露光用開口部５０１ａを覆うために後羽根用駆動部材５０２が回転する際には、後羽根用駆動部材５０２が後羽根用作動部材５０３にかけられたトーションバネによる時計回りに回転する力を押しのけながら回転する。
【００４２】
緊定レバー５０４は軸５０１ｄに回転可能に取り付けられており、図示しないバネによって軸５０１ｄを中心に時計回りに回転する力が加えられている。緊定レバー５０４の先端部には係止部５０４ａが形成されており、後羽根用作動部材５０３の被係止部５０３ｃと係止する。すなわち、図２の状態では、後羽根用作動部材５０３には時計回りの力が加わっているが、緊定レバー５０４と係止しているため、後羽根用作動部材５０３は図２の位置で停止している。
【００４３】
チャージレバー５０５は軸５０１ｅを中心に回転可能に取り付けられており、後羽根用駆動部材５０２のチャージ、および、緊定レバー５０４の解除を行う部材である。図示しないチャージレバー駆動部材がチャージピン５０５ａを揺動させることで、チャージレバー５０５が時計回り、反時計回りの回転運動を行う。図２の状態では、コロ５０６がチャージレバー５０５のカム面５０５ｂのカムトップに乗った状態になっている。すなわち、後羽根用駆動部材５０２は回転できない状態になっている。
【００４４】
次に、実際に撮影を行う際のシャッタ１２の作動について説明する。
【００４５】
図２の状態でシャッタ部材６２が押されると、クイックリターンミラー１３０のアップ動作が行われる。そして、図示しない電磁石への通電が開始され、チャージレバー５０５が反時計回りに回転するようになる。すると、チャージレバー５０５のカム面５０５ｂが緊定レバー５０４のカム面５０４ｂを押し、図３の状態になる。
【００４６】
図３は、緊定レバー５０４の係止部５０４ａと後羽根用作動部材５０３の被係止部５０３ｃの係止が外れた瞬間を示している。後羽根用作動部材５０３に掛けられたトーションバネの力により、後羽根用作動部材５０３が時計回りに回転し、後羽根群が露光用開口部５０１ａを開き、図４の状態に移る。
【００４７】
図４の状態で、被駆動面５０２ａが駆動面５０３ａに当接することで、後羽根用作動部材５０３が停止している。このとき、コロ５０６は未だチャージレバー５０５のカム面５０５ｂのカムトップに乗った状態になっており、後羽根用駆動部材５０２は回転できない状態になっている。
【００４８】
次に、チャージレバー５０５が時計回りに回転し、図５の状態に移る。図５で、後羽根用駆動部材５０２は電磁石によって吸着保持されているため、回転しない。また、緊定レバー５０４は図示しないトーションバネによって時計回りに回転し、緊定レバーストッパー５０１ｂに当接した状態で停止する。この状態で、緊定レバー５０４は後羽根用作動部材５０３を係止可能な状態となっている。
【００４９】
次に、撮像素子１４が電荷蓄積開始走査を行い、操作部７０によって設定されたシャッタスピードに対応する時間が経過した後、電磁石の通電がオフされる。
【００５０】
電磁石の通電がオフされると、後羽根用駆動部材５０２が駆動面５０２ａ、被駆動面５０３ａを介して後羽根用作動部材５０３と一体となって反時計回りに回転し、後羽根群を走行させる。そして、図６に示すように、羽根駆動ピン５０３ｂが緩衝ゴム５１５をストッパーとして停止することで、後羽根群の走行が完了する。
【００５１】
図６の状態で、たとえ後羽根群がバウンドを起こしたとしても、係止部５０４ａと被係止部５０３ｃが係止するため、後羽根群が露光用開口部５０１ａを再び開くようなバウンドは防ぐことが可能となる。
【００５２】
次に、チャージレバー５０５が反計回りに回転し、カム面５０５ｂがコロ５０６を押す（これをチャージ動作という）ことで、後羽根用駆動部材５０２が図２の状態に戻る。このチャージ動作中には係止部５０４ａと被係止部５０３ｃが係止しているため、露光用開口部５０１ａを後羽根群が覆った状態を維持できる。このため、電荷読出し中の撮像素子１４への露光を防ぐことができ、スミアの発生を防ぐことができる。
【００５３】
また、図３で示される緊定レバー５０４の解除動作は撮影動作の初期段階で行われるため、図３から図５で示される撮影前準備動作は、クイックリターンミラー１３０のアップ動作安定までの時間内に行うことができる。すなわち、クイックリターンミラー１３０のアップ動作安定時間がレリーズタイムラグを支配するのである。
【００５４】
一方、このカメラ１００でライブビューを行う際は、クイックリターンミラー１３０がアップした状態で、シャッタ１２は図４の状態になっている。つまり、被写体光が撮像素子１４に常に導かれている状態になっている。そして、撮像素子１４に導かれた被写体像をリアルタイムに画像表示部２８に表示する。よって、使用者は光学ファインダ１０４の代わりに画像表示部２８をファインダとして被写体像を観察することが可能となる。
【００５５】
ここで、シャッタ１２が図４の状態でライブビューを行っているので、ライブビュー中の電磁石への通電を省略することが可能となる。なぜならば、コロ５０６はカム面５０５ｂのカムトップにあるため、後羽根用駆動部材５０２は回転できないからである。
【００５６】
本実施例では、後羽根用作動部材５０３にトーションバネを掛けたが、メイン羽根アーム５０７、あるいは、サブ羽根アーム５０８にかけても同様の作用が得られることは言うまでも無い。
【００５７】
上記実施例のカメラ１００は、電子先幕、メカ式の後幕シャッタによって露光量を制御する構成となっている。そのために、入射した光を電荷として蓄積する撮像素子１４と、撮像素子１４を遮光するように走行するシャッタ１２と、シャッタ１２の走行に先行して、撮像素子１４の電荷蓄積開始走査を行う手段を有する。上記シャッタ１２は、メカ式の後幕を構成する後羽根群と、露光開始可能状態にある後羽根群を露光終了状態に走行させる後羽根用駆動部材５０２とを有する。さらに、露光終了状態にある後羽根群を露光開始可能状態に走行させる後羽根用作動部材５０３と、後羽根群を露光終了状態に走行させた位置で係止する緊定レバー５０４と、後羽根群を露光開始可能位置へ走行させる付勢力を後羽根用駆動部材５０２に与えるチャージレバー５０５とを有する。そして、チャージレバー５０５は、後羽根用駆動部材５０２の駆動を許可する第１の位置と、後羽根用駆動部材５０２をチャージした状態で緊定レバー５０４の係止を解除する第２の位置をとる構成となっている。
【００５８】
なお、上記露光開始可能位置とは、露光用開口部５０１ａに後羽根群が存在しない、図４や図５の状態をいい、露光終了位置とは、露光用開口部５０１ａを後羽根群が覆った、図２、図３及び図６の状態をいう。また、チャージレバー５０５の第１の位置とは、チャージレバー５０５のカム面５０５ｂがコロ５０６と当接しない、図５のような状態をいう。また、第２の状態とは、カム面５０５ｂがコロ５０６と当接してチャージレバー５０５が後羽根用駆動部材５０２をチャージした状態、かつ、係止部５０４ａと被係止部５０３ｃの係止が解除された、図３の状態をいう。
【００５９】
上記のように、チャージレバー５０５が第２の位置をとることができるので、ライブビュー状態での後幕保持マグネットへの通電が不要になる。つまり、ライブビュー状態時の省電化を達成することができる。また、後羽根用作動部材５０３の露光開始可能状態への作動を、緊定解除動作の初期に行うことが可能となる。このため、後羽根用作動部材５０３の作動（後羽根群を走行させるための作動）がレリーズタイムラグに与える影響を無くすことが出来る。また、チャージ動作中には露光用開口部５０１ａを後羽根群が覆うため、電荷読出し中の撮像素子１４への露光を防ぐことが出来、スミアの発生を防ぐことが出来る。その上、たとえ後羽根群がバウンドを起こしたとしても、緊定レバー５０４に具備される係止部５０４ａと後羽根用作動部材５０３に具備される被係止部５０３ｃが係止状態となるので、バウンド防止効果も有する。よって、バウンドによる露光ムラが発生することが無い。
【符号の説明】
【００６０】
１２  シャッタ
１４  撮像素子
２０  画像処理回路
２８  画像表示部
５０  システム制御回路
６２  シャッタ部材
１００  カメラ（撮像装置）
５０１ａ  露光用開口部
５０２  後羽根用駆動部材（駆動部材）
５０３  後羽根用作動部材（作動部材）
５０３ｃ  被係止部
５０４  緊定レバー（係止部材）
５０４ａ  係止部
５０４ｂ  カム面
５０５  チャージレバー（チャージ部材）
５０５ａ  チャージピン
５０５ｂ  カム面
５０６  コロ
５０７  メイン羽根アーム
５０８  サブ羽根アーム
５０９  １番羽根（後幕）
５１０  ２番羽根（後幕）
５１１  ３番羽根（後幕）
５１２  ４番羽根（後幕）
【図１】
0005362066.tif 000002
【図２】
0005362066.tif 000003
【図３】
0005362066.tif 000004
【図４】
0005362066.tif 000005
【図５】
0005362066.tif 000006
【図６】
0005362066.tif 000007